(57)【特許請求の範囲】
【請求項１】
ランダムアクセス可能な記録媒体を用いたノンリニア記録再生手段を備えた素材蓄積送出装置において、
送出すべき素材を指定する素材属性を送出時刻順に並べたプレイリストを記憶する記憶手段と、
前記記憶手段に記憶されるプレイリストを参照して前記ノンリニア記録再生手段に記録される素材を再生するプレビュー手段と、
このプレビュー手段によって再生される素材の内、送出上不都合が生じる不適素材を見つけた場合、その不適素材に対応するプレイリスト中の素材属性に不適フラグを付与する不適フラグ付与手段と、
前記プレビュー手段による素材再生が完了した場合、参照したプレイリストに完了フラグを付加して前記記憶手段に更新登録する更新手段と、
前記記憶手段に記憶されるプレイリストを参照して送出すべき素材の妥当性を判断する手段であって、前記完了フラグが付加されていないプレイリストを参照した場合もしくは参照したプレイリストに前記不適フラグを備えた素材属性が存在する場合に送出不適を報知する報知手段と
を具備することを特徴とする素材蓄積送出装置。
【請求項２】
前記報知手段は、送出不適を報知する条件として、完了フラグが付加されていないプレイリストを参照した場合もしくは参照したプレイリストに不適フラグを備えた素材属性が存在する場合のいずれか一方、あるいは両方を選択的に指定することを特徴とする請求項１記載の素材蓄積送出装置。
【請求項３】
ランダムアクセス可能な記録媒体を備えたノンリニア記録再生手段を用いて行う素材蓄積送出方法であって、
送出すべき素材を指定する素材属性を送出時刻順に並べたプレイリストをデータベースに登録する登録過程と、
前記データベースに登録されたプレイリストを参照して前記ノンリニア記録再生手段に記録される素材を再生するプレビュー過程と、
このプレビュー過程によって再生される素材の内、送出上不都合が生じる不適素材を見つけた場合、その不適素材に対応するプレイリスト中の素材属性に不適フラグを付与する不適フラグ付与過程と、
前記プレビュー過程による素材再生が完了した場合、参照したプレイリストに完了フラグを付加して前記データベースに更新登録する更新登録過程と、
前記データベースに更新登録されたプレイリストを参照して送出すべき素材の妥当性を判断する過程であって、前記完了フラグが付加されていないプレイリストを参照した場合もしくは参照したプレイリストに前記不適フラグを備えた素材属性が存在する場合に送出不適を報知する報知過程と
を具備することを特徴とする素材蓄積送出方法。
【請求項４】
前記報知過程では、送出不適を報知する条件として、完了フラグが付加されていないプレイリストを参照した場合もしくは参照したプレイリストに不適フラグを備えた素材属性が存在する場合のいずれか一方、あるいは両方を選択的に指定することを特徴とする請求項３記載の素材蓄積送出方法。
【発明の詳細な説明】
【０００１】
【発明の属する技術分野】
本発明は、ノンリニアアクセス可能な記録媒体に蓄積した素材を送出する素材蓄積送出装置および素材蓄積送出方法に関する。
【０００２】
【従来の技術】
周知のように、放送局では予め定められた編成枠に従って番組やコマーシャル映像を放送する為、事前に放送素材を用意しておく必要がある。特に、コマーシャル映像（以下、ＣＭと略称する）の場合には、１日分の送出順序を記したプレイリストに従って、ＣＭ素材をＶＴＲテープに順番に記録する一本化作業を行って”一本化テープ”と呼ばれる送出用テープを作成した後、この”一本化テープ”に記録されたＣＭ素材の内容を、送出前リハーサルとして内容確認する、”プレビュー”と一般に呼ばれる作業を行い、その後、一本化テープに記録されたＣＭ素材を送出する。
【０００３】
さて一方、近年では、ＶＴＲテープを用いたシーケンシャル（リニア）記録再生に替えて、ランダムアクセス可能な記録媒体を用いてノンリニア記録再生するビデオサーバ（もしくはＡＶサーバ）と呼ばれる素材蓄積送出装置が普及しつつある。
一般的に、放送局設備として用いられるビデオサーバは、画質や音質に対する要求から、必要とされるデータ転送レートが高く、しかも長時間のデータ記録を可能にすべく大記憶容量であることが要求される。そこで、ランダムアクセス可能な複数のハードディスク装置から構成されるＲＡＩＤ（Redundant Arrays of Inexpensive Disks）を用いて、複数の音声・映像データからなる素材を分散的に記録しておき、ＣＭ素材の送出等を実施し、さらに同一の素材を再生時間をずらして多チャンネルで再生することで、所謂、ＶＯＤ（ビデオオンデマンド）やＮＶＯＤ（ニアビデオオンデマンド）といったシステムを実現することもできる。なお、この種の技術については、例えば、特開平１１−２７６２５号公報に開示されている。
【０００４】
【発明が解決しようとする課題】
ところで、上述したノンリニアアクセス可能な素材蓄積送出装置を用いると、ＲＡＩＤに蓄積されるＣＭ素材を直接的に送出することができる為、ＶＴＲテープを用いる場合のように一本化テープ”を作成する必要がない。
したがって、ノンリニアアクセス可能な素材蓄積送出装置では、プレイリストに挙げられたＣＭ素材をＲＡＩＤから直接的に再生してプレイリストに挙げられた順に、プレビューする形態となる訳であるが、かかる形態においてプレビューしたＣＭ素材がＮＧ（瑕疵があったり送出上不都合が生じるもの）であった場合には、その結果をプレイリストに反映させたり、ＮＧ素材（不適素材）を送出する虞がある旨を報知することができない、という問題が生じている。
そこで本発明は、このような事情に鑑みてなされたもので、プレビュー結果をプレイリストに反映でき、しかもＮＧ素材を送出する虞がある旨を報知することができる素材蓄積送出装置および素材蓄積送出方法を提供することを目的としている。
【００１０】
請求項１に記載の発明では、ランダムアクセス可能な記録媒体を用いたノンリニア記録再生手段を備えた素材蓄積送出装置において、送出すべき素材を指定する素材属性を送出時刻順に並べたプレイリストを記憶する記憶手段と、前記記憶手段に記憶されるプレイリストを参照して前記ノンリニア記録再生手段に記録される素材を再生するプレビュー手段と、このプレビュー手段によって再生される素材の内、送出上不都合が生じる不適素材を見つけた場合、その不適素材に対応するプレイリスト中の素材属性に不適フラグを付与する不適フラグ付与手段と、前記プレビュー手段による素材再生が完了した場合、参照したプレイリストに完了フラグを付加して前記記憶手段に更新登録する更新手段と、前記記憶手段に記憶されるプレイリストを参照して送出すべき素材の妥当性を判断する手段であって、前記完了フラグが付加されていないプレイリストを参照した場合もしくは参照したプレイリストに前記不適フラグを備えた素材属性が存在する場合に送出不適を報知する報知手段とを具備することを特徴とする。
【００１１】
上記請求項１に従属する請求項２に記載の発明によれば、前記報知手段は、送出不適を報知する条件として、完了フラグが付加されていないプレイリストを参照した場合もしくは参照したプレイリストに不適フラグを備えた素材属性が存在する場合のいずれか一方、あるいは両方を選択的に指定することを特徴としている。
【００１７】
請求項３に記載の素材蓄積送出方法では、送出すべき素材を指定する素材属性を送出時刻順に並べたプレイリストをデータベースに登録する登録過程と、前記データベースに登録されたプレイリストを参照して前記ノンリニア記録再生手段に記録される素材を再生するプレビュー過程と、このプレビュー過程によって再生される素材の内、送出上不都合が生じる不適素材を見つけた場合、その不適素材に対応するプレイリスト中の素材属性に不適フラグを付与する不適フラグ付与過程と、前記プレビュー過程による素材再生が完了した場合、参照したプレイリストに完了フラグを付加して前記データベースに更新登録する更新登録過程と、前記データベースに更新登録されたプレイリストを参照して送出すべき素材の妥当性を判断する過程であって、前記完了フラグが付加されていないプレイリストを参照した場合もしくは参照したプレイリストに前記不適フラグを備えた素材属性が存在する場合に送出不適を報知する報知過程とを具備することを特徴とする。
【００１８】
上記請求項３に従属する請求項４に記載の発明によれば、前記報知過程では、送出不適を報知する条件として、完了フラグが付加されていないプレイリストを参照した場合もしくは参照したプレイリストに不適フラグを備えた素材属性が存在する場合のいずれか一方、あるいは両方を選択的に指定することを特徴としている。
【００１９】
本発明では、送出すべき素材を指定する素材属性を送出時刻順に並べたプレイリストを参照してノンリニア記録再生手段に記録される素材を再生するプレビューを行い、このプレビューにより再生される素材の内で送出上不都合が生じる不適素材を見つけた場合、その不適素材に対応するプレイリスト中の素材属性にチェック結果を付与するので、プレビュー結果をプレイリストに反映することが可能になる。
また、本発明では、プレビューにより再生される素材の内、送出上不都合が生じる不適素材を見つけた場合、その不適素材に対応するプレイリスト中の素材属性に不適フラグを付与する一方、プレビューによる素材再生が完了した場合、参照したプレイリストに完了フラグを付加してプレイリストを更新登録しておき、この更新登録されたプレイリストを参照して送出すべき素材の妥当性を判断する際に、完了フラグが付加されていないプレイリストを参照した場合もしくは参照したプレイリストに不適フラグを備えた素材属性が存在する場合に送出不適を報知する為、ＮＧ素材を送出する虞がある旨を報知することが可能になる。
【００２０】
【発明の実施の形態】
本発明による素材蓄積送出装置は、放送局設備として配備される番組バンクシステムやＣＭバンクシテム等に適用される。以下、本発明の実施の一形態であるＣＭバンクシテムを実施例とし、これについて図面を参照して説明する。
【００２１】
Ａ．実施例の構成
（１）全体構成
まず、図１および図２は本発明の実施例であるＣＭバンクシテムの全体構成を示すブロック図である。これらの図に示すＣＭバンクシテムは、素材データ管理系、送出監視制御系および送出系とに大別され、これら各系はハブもしくはルータ等から形成されるノードＮＤ１〜ＮＤ９を介してイーサネット等のネットワークＮＴに接続されている。
【００２２】
▲１▼素材データ管理系の構成
素材データ管理系は、全体として、データゲートウェイ１０１と、データベースサーバ１０２と、ファイリング端末１０３と、プレビュー端末１０４とから構成される。データゲートウェイ１０１は、上位データ管理システム４００が生成する素材データやプレイリストをネットワークＮＴを介して受信し、それをデータベースサーバ１０２に登録する。また、データゲートウェイ１０１はデータベースサーバ１０２から供給される更新登録結果や送出結果リスト（後述する）を上位データ管理システム４００に返信する。
【００２３】
素材データとは、後述するＡＶサーバ３０７，３０８に格納される素材の属性を識別するデータであって、例えば素材コード、素材名およびスポンサー名等からなる。また、プレイリストとは、前述したように、１日（もしくは１週間あるいは１日でも良い）に送出するＣＭ枠（あるいはＣＭ素材）を送出時刻順に並べたデータテーブルである。プレイリストは、ＣＭ枠とそのＣＭ枠を形成する素材とをそれぞれ個別に識別する属性情報の他、枠スタート時刻および素材長などの時刻情報を備える。
【００２４】
さらに、データゲートウェイ１０１では、本システム内で稼働する各種アプリケーションの起動を管理（アプリケーション管理機能）したり、システム全体の日付を管理（日付同期管理）する他、システム内で発生する各種ワーニングやエラーを一括管理して、その内容を通知する機能（ワーニング監視機能）をも具備している。
【００２５】
データベースサーバ１０２では、上記データゲートウェイ１０１や、後述するファイリング端末１０３およびプレビュー端末１０４の他、送出監視制御系から送出されてくる各種処理結果をデータベースに登録する一方、その登録に応じて更新された素材データ、プレイリストおよび送出結果リストを上位データ管理システム４００側に返送すべくデータゲートウェイ１０１に転送する。
【００２６】
ファイリング端末１０３は、データベースサーバ１０２に登録された素材データを基に、ＡＶサーバ３０７，３０８（現用、予備）の両系もしくはいずれか一方側の系に記録させるべき素材を送出系に指示したり、その指示に対応した素材記録結果をデータベースサーバ１０２に通知する。
また、ファイリング端末１０３では、データベースサーバ１０２に登録されたプレイリストに従って、ＡＶサーバ３０７，３０８に記録された素材を放送順に、所定のフォーマットにてＶＴＲテープに記録編集して送出バックアップテープを作成する一本化処理を実行する。
【００２７】
プレビュー端末１０４は、マザープレビュー処理およびオンエアプレビュー処理を行う。マザープレビュー処理とは、ＡＶサーバ３０７，３０８に記録された素材を、各素材毎にその映像および音声をモニタで確認する処理である。オンエアプレビュー処理とは、データベースサーバ１０２に登録されたプレイリストに従った放送順に、ＡＶサーバ３０７，３０８に記録された素材の映像および音声をモニタで確認する処理である。
なお、上記ファイリング端末１０３およびプレビュー端末１０４では、カスタマイズが可能な構成となっており、例えば、ファイリング端末１０３側でプレビュー端末１０４の各処理を実行させたり、プレビュー端末１０４側でファイリング端末１０３の各処理を実行させることができる。
【００２８】
▲２▼送出監視制御系の構成
送出監視制御系は、送出制御系（現用系）２０１、送出制御系（予備系）２０２および送出監視端末２０３から構成される。送出制御系２０１，２０２は、それぞれデータベースサーバ１０２に登録されるプレイリストを参照し、対応する素材をＡＶサーバ３０７，３０８（現用、予備）から送出するようＳＭＳゲートウェイ３０３，３０４（後述する）に指示する。
送出監視端末２０３は、プレイリスト管理処理およびオンエア監視処理を行う。プレイリスト管理処理では、データベースサーバ１０２に登録されるプレイリストを画面表示したり、その内容を編集する。オンエア監視処理では、素材送出の実行状態を監視したり、番組編成の変更に伴う送出制御指示や、トラブル発生時に送出制御のリカバリー指示を出す。
【００２９】
▲３▼送出系の構成
送出系は図２に図示するカセットチェンジャ制御部３０１と、カセットチェンジャ３０２と、ＳＭＳゲートウェイ３０４とから構成される。カセットチェンジャ制御部３０１は、ＡＶサーバ３０７，３０８（現用、予備）に記録された素材を、カセットチェンジャ３０２のＶＴＲを用いてカセットテープにバックアップコピーさせたり、バックアップさせてカセットテープに記録された素材を必要に応じてＡＶサーバ３０７，３０８（現用、予備）へ再生出力させる。また、上述したファイリング端末１０３が一本化処理を実行する場合、当該ファイリング端末１０３の指示に応じてＡＶサーバ３０７，３０８が再生する一本化出力を、カセットチャンジャ３０２を用いてＶＴＲに記録する。なお、一本化はカセットチェンジャ３０２内ＶＴＲを使用しなくとも良く、外部ＶＴＲを用いて実行するようにしても構わない。
【００３０】
カセットチャンジャ３０２は、カセットテープを収納する複数の棚と、この棚からカセットテープを搬出したり、あるいは棚にカセットテープを搬入する搬送手段と、この搬送手段によりセットされるカセットテープを記録再生する記録再生手段とから構成される。
ＳＭＳ（サーバマネジメントシステム）ゲートウェイ３０３，３０４は、送出制御系２０１，２０２、ファイリング端末１０３およびプレビュー端末１０４などの複数の上位サーバ／端末からの記録再生要求を調停して下位ＡＶサーバ３０７，３０８に記録再生指示（入出力指示）を発生するものである。
【００３１】
ＩＤＣ（インテリジェントデバイスコントローラ）３０５，３０６は、上位ＳＭＳゲートウェイ３０３，３０４から入力された記録再生系の要求に対してリアルタイムで下位ＡＶサーバ３０７，３０８を制御するものである。すなわち、上位ＳＭＳゲートウェイ３０３，３０４からの命令でＩＤＣ３０５，３０６内のタイマあるいは外部マニュアルスイッチの操作等をトリガにて命令をＡＶサーバ３０７，３０８に出力して実行させる。
によって調停された記録再生指示（入出力指示）に基づき、ＡＶサ−バ３０７，３０８や素材機３０９に記録指示あるいは再生指示を与えるである。なお、ＩＤＣ３０５，３０６は、ＳＭＳゲートウェイ３０３，３０４経由で記録再生指示（入出力指示）が与えられる他、上位制御システム５００からローカルに送出プレイ制御可能な構成になっている。
ＡＶサ−バ３０７，３０８は、ＩＤＣ３０５，３０６の指示に従い、素材機３０９が再生する素材を記録したり、記録された素材を再生して現用系出力もしくは予備系出力として次段のマスタスイッチャ６００に送出する。マスタスイッチャ６００では、両出力のいずれかを選択して送出出力とする。
【００３２】
（２）機能構成
次に、上記ハードウェア構成を具備する実施例の主要な機能として、「ファイリング機能」、「素材プレビュー機能」、「プレイリスト登録機能」、「オンエアプレビュー機能」、「一本化テープ作成機能」および「送出機能」について述べる。
【００３３】
▲１▼ファイリング機能
データベースサーバ１０２には、上位データ管理システム４００からデータゲートウェイ１０１を経由して素材データが仮登録されており、ファイリング端末１０３におけるファイリング操作によって、この仮登録されている素材データの内、実際にＡＶサーバ３０７，３０８に収録する素材についての素材データをデータベースサーバ１０２に更新登録する。
【００３４】
このようなファイリング操作をファイリング端末１０３にて実行すると、データベースサーバ１０２に更新登録された素材データに対応した素材を、素材機３０９にて再生してＡＶサ−バ３０７，３０８に収録するようＳＭＳ３０３，３０４に指示する。これにより、ＳＭＳ３０３，３０４では、それぞれＡＶサーバ３０７，３０８（現用、予備）の両系もしくはいずれか一方側の系に、素材機３０９の再生出力を記録するようＩＤＣ３０５，３０６を介して制御する。
ファイリング操作に応じてデータベース上で更新登録された素材データは、ファイリング結果として、データベースサーバ１０２に仮登録されている素材データに付加され、データゲートウェイ１０１を経由して上位データ管理システム４００に戻される。
【００３５】
▲２▼素材プレビュー機能
ＡＶサ−バ３０７，３０８に収録された素材の確認は、プレビュー端末１０４にて実行されるマザープレビュー処理にて行われる。マザープレビュー処理では、データベースサーバ１０２に登録されている素材データを画面表示し、その内から内容確認したい素材データを選択して素材プレビューを行い、素材内容および画質、音質をチェックする。なお、本機能は前記ファイリング機能にも備る。
プレビュー端末１０４にて素材プレビューを実行すると、選択した素材データに対応した素材を再生するようＳＭＳゲートウェイ３０３，３０４に指示する。これにより、ＳＭＳゲートウェイ３０３，３０４は、ＩＤＣ３０５，３０６を介してＡＶサーバ３０７，３０８（現用、予備）に該当素材を再生するよう制御する。
【００３６】
▲３▼プレイリスト登録機能
上位データ管理システム４００が生成するプレイリストは、データゲートウェイ１０１を経由してデータベースサーバ１０２に自動的に登録される。プレイリストが上位データ管理システム４００からフロッピーディスク等の記録媒体に出力される場合には、送出監視端末２０３にてプレイリスト管理処理を起動し、その記録媒体からプレイリストを読み出してデータベースサーバ１０２に登録する。データベースサーバ１０２に登録されたプレイリストは、送出監視端末２０３にて実行されるプレイリスト管理処理にて直接、入力編集可能な形式となっている。
【００３７】
▲４▼オンエアプレビュー機能
プレビュー端末１０４では、オンエアプレビュー処理を起動することにより、データベースサーバ１０２に登録されたプレイリストに従って、ＡＶサーバ３０７，３０８に記録された素材を放送順に、その映像および音声を内容確認できる。オンエアプレビュー処理を行う際には、現用系、予備系のいずれのＡＶサーバ３０７，３０８を使用するか指定する。
プレビュー端末１０４にてオンエアプレビュー処理を実行すると、プレイリストに沿った素材を、指定した系側のＡＶサーバから再生するようＳＭＳゲートウェイ３０３（３０４）に指示する。これにより、ＳＭＳゲートウェイ３０３（３０４）は、ＩＤＣ３０５（３０６）を介して指定した系側のＡＶサーバ３０７（３０８）が再生するよう制御する。
【００３８】
▲５▼一本化テープ作成機能
ファイリング端末１０３では、一本化処理を起動することにより、データベースサーバ１０２に登録されたプレイリストに従って、ＡＶサーバ３０７，３０８に記録された素材を放送順に、所定のフォーマットにてＶＴＲテープに記録編集して送出バックアップ用の一本化テープを作成することができる。
つまり、一本化テープはプレイリストに従ってＶＴＲに装填されたテープに送出する順に素材を記録したものであり、本システムで障害が発生して送出できなくなった場合に、この一本化テープを外部ＶＴＲで再生して送出を継続させる。
ファイリング端末１０３にて一本化処理を実行すると、プレイリストに沿った素材を、指定した系側のＡＶサーバからカセットチェンジャ３０２などの外部のＶＴＲへ再生出力するようＳＭＳゲートウェイ３０３（３０４）に指示する一方、カセットチェンジャ制御部３０１にＶＴＲ記録を指示する。
【００３９】
▲６▼送出機能
送出制御は、現用系と予備系とで独立して行われ、現用系のＡＶサーバ３０７からの素材送出は送出制御系２０２が、予備系のＡＶサーバ３０８からの素材送出は送出制御系２０３がそれぞれ担う。送出制御系２０２，２０３は、データベースサーバ１０２に登録されるプレイリストの内、当日および翌日分のプレイリストを自動的に読み込み、そのプレイリストを参照して対応する素材を記録するＡＶサーバ３０７，３０８（現用、予備）からそれぞれ送出するようＳＭＳゲートウェイ３０３，３０４に指示する。
送出制御系２０２，２０３では、それぞれ自系にて送出結果リストを作成し、作成した送出結果リストをデータゲートウェイ１０１を介して上位データ管理システム４００に送信する。この際、データゲートウェイ１０１は、両系の送出結果リストから実際に送出された系のデータを使用して１つの送出結果リストを作成する。
【００４０】
Ｂ．実施例の動作
次に、図３〜図７を参照して実施例の動作について説明する。以下では、本発明の要旨にかかわる動作として、オンエアプレビューしたＣＭ素材がＮＧ（瑕疵や不都合があるもの）であった場合に、オンエアプレビュー結果をプレイリストに反映させると共に、ＮＧ素材を送出する虞がある旨を報知する点について述べる。
【００４１】
（１）プレビュー端末１０４の動作
上述したように、プレビュー端末１０４にてデータベースサーバ１０２に登録されたプレイリストに基づき、ＡＶサーバ３０７，３０８に記録されたＣＭ素材の内容を放送順にモニタ確認すべくオンエアプレビュー処理を起動すると、プレビュー端末１０４のディスプレイには図３に図示するように、ツールバーＴＢ、プレイリスト表示エリアＬＤおよび操作パネル表示部ＣＰから形成されるオンエアプレビュー画面ＰＬが表示される。
【００４２】
ツールバーＴＢは、ファイル操作や編集操作等を行う各種操作コマンドを入力する際に使用される。プレイリスト表示エリアＬＤには、プレビュー実行対象となるプレイリストの内容が送出時刻順に一覧表示される。プレイリストは、枠ＦＭとその枠に含まれる素材ＳＰとから構成される。枠ＦＭとは、実際のＣＭ枠に相当し、素材ＳＰはそのＣＭ枠に含まれる一連のＣＭ素材を表す。こうした、プレイリスト表示エリアＬＤには、枠ＦＭあるいは素材ＳＰ毎に「枠コード／素材コード」、「ステータス」、「スタート時刻」、「ＤＵＲ（送出期間）」、「枠名／素材名」および「スポンサー名」等から形成されるプレイリスト項目がリスト表示されるようになっている。プレイリスト表示エリアＬＤに枠ＦＭ毎のプレイリスト項目が表示されている状態で、任意の枠ＦＭの行をダブルクリックすると、そのイベントに応じてダブルクリックされた行の枠ＦＭに含まれる素材ＳＰがリスト表示されるようになっており、図３はそうした状態を図示したものである。
【００４３】
操作パネル表示部ＣＰには、後述するプレビューＮＧボタンＰＮＧや、プレビュー操作に必要な各種ボタンが設けられている。また、操作パネル表示部ＣＰでは、プレビュー実行対象に選択されたＣＭ枠や素材名を表示する表示エリアＥ１、ＡＶサーバ３０７，３０８（図２参照）のいずれの系をプレビューに使用しているのかを表示する表示エリアＥ２等も設けられている。
【００４４】
さて、このようなオンエアプレビュー画面ＰＬにおいて、プレイリスト表示エリアＬＤに表示される枠ＦＭあるいは素材ＳＰのいずれかをプレビュー対象にすべく選択操作（例えば、マウスクリック操作）してから操作パネル表示部ＣＰの操作によりオンエアプレビューを行い、これにより送出上不都合が生じるＮＧ枠あるいはＮＧ素材を見つけると、図４に示すフラグセット処理に従って、プレイリストに「プレビューＮＧフラグ」をセットする。
すなわち、ステップＳＡ１では、端末操作者がオンエアプレビューを行って送出上不都合が生じる枠ＦＭあるいは素材ＳＰを見つけると、その枠ＦＭあるいは素材ＳＰの行を選択状態に設定してから操作パネル表示部ＣＰ中のプレビューＮＧボタンＰＮＧをクリックする。
【００４５】
すると、このプレビューＮＧボタンＰＮＧのクリックイベントに応じてステップＳＡ２に処理を進め、選択されたプレビュー対象が枠ＦＭであるか否かを判断する。ここで、選択されたプレビュー対象が枠ＦＭであると、判断結果は「ＹＥＳ」となり、ステップＳＡ３に処理を進め、選択状態にある枠ＦＭとその枠ＦＭに含まれる全ての素材ＳＰに「プレビューＮＧフラグ」をセットする。これにより、プレイリスト表示エリアＬＤで表示される該当枠ＦＭおよび各素材ＳＰの「ステータス」が一括して”プレビューＮＧ”に設定される。「ステータス」が”プレビューＮＧ”になると、該当枠ＦＭおよび各素材ＳＰにおける「ステータス」の文字色が変化する。
【００４６】
一方、選択されたプレビュー対象が素材ＳＰの場合には、上記ステップＳＡ２の判断結果が「ＮＯ」となり、ステップＳＡ４に処理を進め、選択状態にある素材ＳＰに「プレビューＮＧフラグ」をセットする。これにより、プレイリスト表示エリアＬＤで表示される該当素材ＳＰの「ステータス」のみが”プレビューＮＧ”に設定される。この場合も、その素材ＳＰの「ステータス」の文字色が変化する。
なお、「プレビューＮＧフラグ」がセットされた枠ＦＭあるいは素材ＳＰを再度選択してプレビューＮＧボタンＰＮＧをクリックすると、その枠ＦＭあるいは素材ＳＰの「プレビューＮＧフラグ」がリセットされ、これに応じて「ステータス」も元に戻り、かつ「ステータス」の文字色もフラグセット以前の色に変化する。
【００４７】
このように、オンエアプレビュー処理では、オンエアプレビュー結果をプレイリストに反映させ得るようになっており、こうしたオンエアプレビュー処理を終了させるか、もしくはプレイリストを閉じる操作を行うと、プレビュー端末１０４のディスプレイではオンエアプレビュー画面ＰＬに替えて図５に図示するＧＵＩ画面Ｇ１が表示される。
そして、このＧＵＩ画面Ｇ１において、プレイリストを閉じるべく、「はい（Ｙ）」ボタンにマウスカーソルをポインティングしてクリックすると、そのクリックイベントにより、閉じたプレイリストに対してプレビュー完了フラグＰＦがセットされる。なお、プレビュー完了フラグＰＦがセットされたプレイリストは、データベースサーバ１０２に更新登録される。
【００４８】
（２）送出制御系２０１，２０２の動作
送出制御系２０１，２０２では、図６に図示する送出準備処理が実行される。送出準備処理を実行すると、まずステップＳＢ１に処理を進め、当日もしくは翌日分のプレイリストをデータベースサーバ１０２から読み込む。次いで、ステップＳＢ２では、読み込んだプレイリストのステータスが「プレビュー完了」であるか否か、つまり、上述したオンエアプレビュー処理にてプレビュー完了フラグＰＦがセットされたプレイリストであるかどうかを判断する。ここで、「プレビュー完了」のプレイリストであると、判断結果は「ＹＥＳ」となり、次のステップＳＢ３に処理を進め、そのプレイリスト中に「プレビューＮＧフラグ」がセットされた枠ＦＭあるいは素材ＳＰが存在するか否かを判断する。
【００４９】
そして、「プレビューＮＧフラグ」がセットされた枠ＦＭあるいは素材ＳＰが存在しなければ、ＮＧ素材を送出する虞はないので、判断結果が「ＮＯ」となり、この場合、何も処理せずに送出準備処理を完了させるが、「プレビューＮＧフラグ」がセットされた枠ＦＭあるいは素材ＳＰが存在すると、判断結果は「ＹＥＳ」となり、ステップＳＢ４に処理を進める。なお、上記ステップＳＢ２において読み込んだプレイリストが未プレビュー状態である場合もステップＳＢ４に処理を進める。
【００５０】
ステップＳＢ４では、未プレビュー状態のプレイリストおよび「プレビューＮＧフラグ」がセットされた枠ＦＭあるいは素材ＳＰが存在するプレイリストについて、送出準備ＮＧアラームの対象に設定されているかどうかを判断する。その対象に設定されていなければ、判断結果は「ＮＯ」となり、この場合、何も処理せずに送出準備処理を完了させ、一方、対象に設定されていれば、判断結果が「ＹＥＳ」となり、次のステップＳＢ５に処理を進め、送出準備ＮＧアラームを発生してＮＧ素材を送出する虞がある旨を報知する。アラーム態様としては、ネットワークＮＴに接続される全ての操作端末の画面上に警告表示したり、送出監視制御系に接続される操作端末から警告音（例えばビープ音）を鳴音させる。
【００５１】
以上のように、本発明によれば、オンエアプレビュー処理にて送出上不都合が生じるＮＧ枠あるいはＮＧ素材を見つけた場合、プレイリスト中で対応する枠ＦＭあるいは素材ＳＰに「プレビューＮＧフラグ」をセットし、さらにオンエアプレビュー完了時にはプレイリストにプレビュー完了フラグＰＦをセットしてデータベースサーバ１０２に更新登録するので、オンエアプレビュー結果をプレイリストに反映させることができる。
また、こうしてプレビュー結果が反映されたプレイリストに基づき送出準備する際に、プレイリスト中に「プレビューＮＧフラグ」がセットされた枠ＦＭあるいは素材ＳＰが存在する場合、送出準備ＮＧアラームを発生するようにしたので、ＮＧ素材を送出する虞がある旨を報知することができる。
【００５２】
また、本発明によるＣＭバンクシテムでは、オンエアプレビュー結果をプレイリストに反映でき、しかもＮＧ素材を送出する虞がある旨を報知可能にしたので、複数人数でオンエアプレビュー結果を共有できる結果、オンエアプレビュー処理を効率良く進めることもできる。
なお、上述した実施例では、送出上不都合が生じる枠ＦＭあるいは素材ＳＰに「プレビューＮＧフラグ」を付加する態様について述べたが、これに限定されず、例えば、フラグビット数を増やしてＮＧの度合いを考慮することも可能である。つまり、”軽微なＮＧ”や”重度のＮＧ”などのように「プレビューＮＧフラグ」にプライオリティを付けるようにし、これに応じて送出準備ＮＧアラームの形態も変化させればより木目細かな対処が可能になる。
【００５３】
【発明の効果】
請求項１に記載の発明によれば、送出すべき素材を指定する素材属性を送出時刻順に並べたプレイリストを参照してノンリニア記録再生手段に記録される素材を再生するプレビューを行い、このプレビューの際に送出上不都合が生じる不適素材が見つかると、その不適素材に対応するプレイリスト中の素材属性にチェック結果を付与するので、プレビュー結果をプレイリストに反映することができる。
請求項２に記載の発明によれば、送出すべき素材を指定する素材属性を送出時刻順に並べたプレイリストを記憶手段に記憶しておき、この記憶手段に記憶されるプレイリストを参照してノンリニア記録再生手段に記録される素材を再生するプレビューを行い、このプレビューの際に送出上不都合が生じる不適素材を見つけた場合、その不適素材に対応するプレイリスト中の素材属性に不適フラグを付与する一方、プレビューが完了した場合には参照したプレイリストに完了フラグを付加して前記記憶手段に更新登録するので、プレビュー結果をプレイリストに反映することができる上、プレイリストがプレビュー済みであるか否かが一目瞭然になる。
請求項３に記載の発明によれば、不適フラグ付与手段はプレイリストを表示画面に一覧表示し、一覧表示されたプレイリスト中からフラグ付与対象を選択して表示画面上に表示されるフラグセットボタンをクリック操作すると、その選択したフラグ付与対象に不適フラグをセットするので、極めて簡単な操作でプレイリストに不適フラグをセットすることができる。
請求項４に記載の発明によれば、プレイリストを送出枠とその送出枠に含まれる素材情報とから形成しておき、選択したフラグ付与対象が送出枠である場合、ダブルクリック操作に応じてその選択した送出枠に含まれる素材情報を表示画面に一覧表示するので、プレイリストを送出枠単位で一覧表示しながら、送出枠に含まれる一連の素材情報をも一覧表示することができ、視認性良くプレイリストの内容を確認し得る。
請求項５に記載の発明によれば、選択手段により選択されたフラグ付与対象が送出枠である場合に、フラグセットボタンをクリック操作すると、その送出枠と当該送出枠に含まれる素材情報とに一括して不適フラグがセットされるので、いちいち素材情報毎に不適フラグをセットする必要がなくなり、操作性を向上することができる。
請求項６に記載の発明によれば、プレビューにより再生される素材の内、送出上不都合が生じる不適素材を見つけた場合、その不適素材に対応するプレイリスト中の素材属性に不適フラグを付与する一方、プレビューによる素材再生が完了した場合、参照したプレイリストに完了フラグを付加してプレイリストを更新登録しておき、この更新登録されたプレイリストを参照して送出すべき素材の妥当性を判断する際に、完了フラグが付加されていないプレイリストを参照した場合もしくは参照したプレイリストに不適フラグを備えた素材属性が存在する場合に送出不適を報知する為、ＮＧ素材を送出する虞がある旨を報知することができる。
請求項７に記載の発明によれば、送出不適を報知する条件として、完了フラグが付加されていないプレイリストを参照した場合もしくは参照したプレイリストに不適フラグを備えた素材属性が存在する場合のいずれか一方、あるいは両方を選択的に指定するので、所望に条件で送出不適を報知することができる。
請求項８に記載の発明によれば、送出すべき素材を指定する素材属性を送出時刻順に並べたプレイリストを参照してノンリニア記録再生手段に記録される素材を再生するプレビューを行い、このプレビューの際に送出上不都合が生じる不適素材が見つかると、その不適素材に対応するプレイリスト中の素材属性にチェック結果を付与するので、プレビュー結果をプレイリストに反映することができる。
請求項９に記載の発明によれば、送出すべき素材を指定する素材属性を送出時刻順に並べたプレイリストをデータベースに登録しておき、このデータベースに登録されるプレイリストを参照してノンリニア記録再生手段に記録される素材を再生するプレビューを行い、このプレビューの際に送出上不都合が生じる不適素材を見つけた場合、その不適素材に対応するプレイリスト中の素材属性に不適フラグを付与する一方、プレビューが完了した場合には参照したプレイリストに完了フラグを付加してデータベースに更新登録するので、プレビュー結果をプレイリストに反映することができる上、データベース上のプレイリストがプレビュー済みであるか否かが一目瞭然になる。
請求項１０に記載の発明によれば、プレイリストを表示画面に一覧表示し、一覧表示されたプレイリスト中からフラグ付与対象を選択して表示画面上に設けられたフラグセットボタンをクリック操作すると、その選択したフラグ付与対象に不適フラグをセットするので、極めて簡単な操作でプレイリストに不適フラグをセットすることができる。
請求項１１に記載の発明によれば、プレイリストを送出枠とその送出枠に含まれる素材情報とから形成しておき、選択したフラグ付与対象が送出枠である場合、ダブルクリック操作に応じてその選択した送出枠に含まれる素材情報を表示画面に一覧表示するので、プレイリストを送出枠単位で一覧表示しながら、送出枠に含まれる一連の素材情報をも一覧表示することができ、視認性良くプレイリストの内容を確認し得る。
請求項１２に記載の発明によれば、選択されたフラグ付与対象が送出枠である場合に、フラグセットボタンをクリック操作すると、その送出枠と当該送出枠に含まれる素材情報とに一括して不適フラグがセットされるので、いちいち素材情報毎に不適フラグをセットする必要がなくなり、操作性を向上することができる。
請求項１３に記載の発明によれば、送出すべき素材を指定する素材属性を送出時刻順に並べたプレイリストをデータベースに登録しておき、このデータベースに登録されるプレイリストを参照してノンリニア記録再生手段に記録される素材を再生するプレビューを行い、このプレビューの際に送出上不都合が生じる不適素材を見つけた場合、その不適素材に対応するプレイリスト中の素材属性に不適フラグを付与する一方、プレビューが完了した場合には参照したプレイリストに完了フラグを付加してデータベースに更新登録する。そして、更新登録されたプレイリストを参照して送出すべき素材の妥当性を判断する際に、完了フラグが付加されていないプレイリストを参照した場合もしくは参照したプレイリストに不適フラグを備えた素材属性が存在する場合に送出不適を報知するので、ＮＧ素材を送出する虞がある旨を報知することができる。
請求項１４に記載の発明によれば、送出不適を報知する条件として、完了フラグが付加されていないプレイリストを参照した場合もしくは参照したプレイリストに不適フラグを備えた素材属性が存在する場合のいずれか一方、あるいは両方を選択的に指定するので、所望の条件で送出不適を報知することができる。
【図面の簡単な説明】
【図１】本発明による一実施例の全体構成を示すブロック図である。
【図２】本発明による一実施例の全体構成を示すブロック図である。
【図３】オンエアプレビュー画面ＰＬの一例を示す図である。
【図４】フラグセット処理の動作を示すフローチャートである。
【図５】ＧＵＩ画面Ｇ１の一例を示す図である。
【図６】送出準備処理の動作を示すフローチャートである。
【符号の説明】
１０１…データゲートウェイ、１０２…データベースサーバ、１０３…ファイリング端末、１０４…プレビュー端末、２０１，２０２…送出制御系、２０３…送出監視端末、３０１…カセットチェンジャ制御部、３０２…カセットチェンジャ、３０３，３０４…ＳＭＳゲートウェイ、３０５，３０６…ＩＤＣ、３０７，３０８…ＡＶサーバ、３０９…素材機、４００…上位データ管理システム、５００…上位制御システム、６００…マスタスイッチャ。
【図１】
0004062820.tif 000002
【図２】
0004062820.tif 000003
【図３】
0004062820.tif 000004
【図４】
0004062820.tif 000005
【図５】
0004062820.tif 000006
【図６】
0004062820.tif 000007